【手続補正書】
【提出日】平成17年8月3日(2005.8.3)
【手続補正１】
【補正対象書類名】明細書
【補正対象項目名】全文
【補正方法】変更
【補正の内容】
【書類名】      明細書
【発明の名称】  口紅等の収納容器
【特許請求の範囲】
【請求項１】  内筒部材と、この内筒部材の上部外周を回動可能ではあるが抜け出し不能に覆う外筒部材と、前記内筒部材と外筒部材を回動させることによって外筒部材内に収納された口紅等の棒状化粧料を外筒部材の上端より出没可能とする上下移動機構より構成されるカートリッヂ体と、前記内筒部材の外筒部材内に覆われていない部位を回動不能に係止するハカマ部材本体とから構成される口紅等の収納容器において、内筒部材下方外周に係止溝を形成し、この係止溝と対応する部位のハカマ部材本体内に前記内筒部材を係止する係止片を形成し、前記ハカマ部材よりカートリッヂ体の無理抜きを可能とする少なくとも係止溝まで達するカット溝を前記内筒部材下部に形成したことを特徴とする口紅等の収納容器。
【請求項２】  上下移動機構は外筒部材内部に形成された軸心方向の係合溝、皿部材に形成された前記外筒部材の係合溝と係合する係合ピンと、軸棒に形成された雄ねじ、内筒部材の螺合穴に形成された雌ねじの螺合によって形成される請求項１記載の口紅等の収納容器。
【請求項３】  軸心方向の切り割り溝が形成された筒状の内筒部材と、この内筒部材の切り割り溝の外周を回動可能ではあるが抜け出し不能に覆い内部に螺旋溝が形成された外筒部材と、前記内筒部材内に上下移動可能に形成された皿部材と、この皿部材に形成された前記内筒部材の切り割り溝および前記外筒部材の螺旋溝と係合する係合ピン、これらにより構成されるカートリッヂ体と、前記内筒部材の外筒部材に覆われていない部位を回動不能に係止するハカマ部材本体とから構成される口紅等の収納容器において、内筒部材下方外周に係止溝を形成し、この係止溝と対応する部位のハカマ部材本体内に前記内筒部材を係止する係止片を形成し、前記ハカマ部材よりカートリッヂ体の無理抜きを可能とする少なくとも係止溝まで達するカット溝を前記内筒部材下部に形成したことを特徴とする口紅等の収納容器。
【発明の詳細な説明】
【０００１】 
【産業上の利用分野】
本発明は口紅等の収納容器に関するものである。
【０００２】
【従来の技術】
従来の口紅等の収納容器は内筒部材と、この内筒部材の上部外周を回動可能ではあるが抜け出し不能に覆う外筒部材と、前記内筒部材と外筒部材を回動させることによって外筒部材内に収納された口紅等の棒状化粧料を外筒部材の上端より出没可能とする上下移動機構より構成されるカートリッヂ体と、さらに前記内筒部材の外筒部材に覆われていない部位を回動不能および抜け出し不能とし、前記カートリッヂ体下方部側面を覆うハカマ部材本体とからなる構造が使用されていた。
【０００３】
【本発明が解決しようとする課題】
従来の口紅等の収納容器ではカートリッヂ体とハカマ部材本体が抜脱不能に組み付けられてしまうため、皿部材に口紅を充填してしまうと口紅の交換は、口紅収納容器の組み付け状態では皿部材や内筒部材の掃除が大変でコスト高となり、廃棄処分せざるをえないという欠点があった。
【０００４】
本発明は以上のような従来の欠点に鑑み、口紅等を充填した後にでもカートリッヂ体を抜き取り、容易に新しいカートリッヂ体を組み付け直すことができる口紅等の収納容器を提供することを目的としている。
【０００５】
【課題を解決するための手段】
上記課題を解決するため、本発明は内筒部材と、この内筒部材の上部外周を回動可能ではあるが抜け出し不能に覆う外筒部材と、前記内筒部材と外筒部材を回動させることによって外筒部材内に収納された口紅等の棒状化粧料を外筒部材の上端より出没可能とする上下移動機構より構成されるカートリッヂ体と、前記内筒部材の外筒部材内に覆われていない部位を回動不能に係止するハカマ部材本体とから構成される口紅等の収納容器において、内筒部材下方外周に係止溝を形成し、この係止溝と対応する部位のハカマ部材本体内に前記内筒部材を係止する係止片を形成し、前記ハカマ部材よりカートリッヂ体の無理抜きを可能とする少なくとも係止溝まで達するカット溝を前記内筒部材下部に形成したという手段を用いている。
【０００６】
【作用】
内筒部材下方部に形成されたカット溝はカートリッヂ体を無理抜きする際に内筒部材の内部方向への変形を容易にするものである。
【０００７】
【発明の実施例】
以下、図面に示す実施例により本発明を詳細に説明する。
図１ないし図５に示す発明の第１の実施例において、１はパイプ状に形成された合成樹脂材の内筒部材で、この内筒部材１の内部に螺合穴２が形成されている。
【０００８】
３は前記内筒部材１の上部を覆う外筒部材で、この外筒部材３はアルミニウムなどの金属材で形成され、内筒部材１の上部外周に回動可能ではあるが抜け出し不能に係止されている。
【０００９】
４は合成樹脂材の皿部材で、この皿部材４は口紅等の化粧料５を収納保持し、さらに皿部材４の外面には前記外筒部材３の内面に形成された軸心方向の切り割り溝２１と係合する係合ピン１０を形成し、前記外筒部材３内に上下移動可能に構成され、さらにこの皿部材４の下部には前記内筒部材１の螺合穴２と螺合する軸棒６が垂下されている。
【００１０】
さらにこの軸棒６の下端部には軸棒６が内筒部材１より抜脱することを防止するストッパー７が形成されている。
【００１１】
１３は内筒部材１の外筒部材３に覆われる部位に形成された周溝で、たとえばこの周溝１３と対応する部位の外周部材３を外部よりロール歯１４によって巻き締めによる抜け止め加工によって、形成されたロール片２７が外筒部材３の下部を係止することによって内筒部材１と外筒部材３を回動可能ではあるが抜け出し不能とし、このような上下移動機構８よって構成されるカートリッヂ体２４を構成している。
【００１２】
１６はハカマ部材で、このハカマ部材１６は蓋嵌合部材２３の下方部を内部に圧入あるいは接着などにより係止して容器の外観を形成し、これによってハカマ部材本体２５を形成している。
【００１３】
蓋嵌合部材２３は内筒部材１の外筒部材３に覆われていない部分と嵌合し、内筒部材１の係止溝９と対応する部位の蓋嵌合部材２３をハカマ部材１６に係止される以前に外部よりロール歯１４による巻き締めに加工によって形成された内筒部材１の係止溝９内へ進入する係止片２６によってカートリッヂ体２４をハカマ部材本体２５からの抜け出し不能および回動不能としている。この蓋嵌合部材２３の上部には蓋嵌合部１７が形成されている。
【００１４】
１５はカット溝で、このカット溝１５は少なくとも前記内筒部材１の係止溝９の位置まで達するように内筒部材１の軸心方向に形成されているもので、このカット溝１５の溝幅が縮むことによってカートリッヂ体２４がハカマ部材本体２５からの無理抜きが可能となるように構成されているもので、このカット溝１５の数は一本でも良いが二本以上とすることが望ましい。
【００１５】
１８は前記ハカマ部材本体２５の蓋嵌合部１７と着脱自在に嵌合する蓋である。
【００１６】
このように構成された口紅等の収納容器１９は、蓋嵌合部材２３に内筒部材１が嵌合固定され、さらに内筒部材１の係止溝９と対応する部位の蓋嵌合部材２３を外部よりロール歯１４によって巻き締め加工によって構成された係止片２６により係止されたものであり、したがって通常の使用時においてカートリッヂ体２４がハカマ部材本体２５より空回り、および抜け出てしまうといったことがない。
【００１７】
さらにカートリッヂ体２４を外す場合には、蓋嵌合部材２３に内筒部材１を係止した係止強度よりも強い力でカートリッヂ体２４をハカマ部材本体２５より引っ張ると、内筒部材１のカット溝１５の溝幅が縮む。それによってカートリッヂ体２４がハカマ部材本体２５より抜き取ることができる。
【００１８】
【発明の異なる実施例】
次に本発明の異なる実施例につき説明する。なお、これらの説明にあたって前記発明の第１の実施例と同一構成部分には同一符号を付して重複する説明を省略する。
【００１９】
図６に示す発明の第２の実施例において、前記発明の第１の実施例と主に異なる点は、蓋嵌合部材２３の抜け止め加工を複数個のポンチ２０によるポンチ加工によって蓋嵌合部材２３を変形させ、形成された内筒部材１の係止溝９内へ進入する係止片２６により抜け出し不能とした点で、この様な構造とした口紅等の収納容器１９Ａとしても良い。
【００２０】
図７ないし図１０に示す発明の第３の実施例において、前記発明の第１の実施例と主に異なる点は、カートリッヂ体２４Ｂで、このカートリッヂ体２４Ｂは、軸心方向の切り割り溝２１が形成された筒状の内筒部材１Ｂと、この内筒部材１Ｂの切り割り溝２１の外周を回動可能ではあるが抜け出し不能に覆い、内部に螺旋溝２２が形成された外筒部材３Ｂと、前記内筒部材１Ｂ内に上下移動可能に形成された皿部材４Ｂと、この皿部材４Ｂに形成された前記内筒部材１Ｂの切り割り溝２１および前記外筒部材３Ｂの螺旋溝２２と係合する係合ピン１０でカートリッヂ体２４Ｂを構成した点で、これらカートリッヂ体２４Ｂと前記内筒部材１Ｂの外筒部材１Ｂに覆われていない部位を係止するハカマ部材本体２５Ｂを使用した点で、このように構成された口紅等の収納容器１９Ｂとしても良い。
【００２１】
なお、前記本発明の各実施の形態では、ハカマ部材本体２５、２５Ｂにおける蓋嵌合部材２３、２３Ｂとハカマ部材１６、１６Ｂとは別体となった構造の説明になっているが、本発明はこれに限らず、蓋嵌合部材２３、２３Ｂとハカマ部材１６、１６Ｂが一体成形されたハカマ部材本体２５、２５Ｂとしても良い。
【００２２】
又、前記本発明の各実施の形態では、内筒部材１、１Ｂの無理抜きが可能なカット溝１５を軸心方向に形成するものについて説明したが、本発明はこれに限らず、カット溝を斜め方向に形成しても良い。
【００２３】
このように構成された口紅等の収納容器１９Ｂは、蓋嵌合部材２３Ｂに内筒部材１Ｂが嵌合固定され、さらに内筒部材１Ｂの係止溝９と対応する部位を外部よりロール歯１４およびポンチ２０によって巻き締めあるいはポンチ加工によって形成された係止片２６により係止されたものであり、したがって通常の使用時においてカートリッヂ体２４Ｂがハカマ部材本体２５Ｂより空回り、および抜けてしまうといったことがない。
【００２４】
さらにカートリッヂ体２４Ｂを外す場合には、蓋嵌合部材２３Ｂに内筒部材１Ｂを係止した係止強度よりも強い力でカートリッヂ体２４Ｂをハカマ部材本体２５Ｂより引っ張ると内筒部材１Ｂのカット溝１５の溝幅が縮み、それによってハカマ部材本体２５Ｂが蓋嵌合部材２３Ｂより抜き取ることができる。
【００２５】
【発明の効果】
本発明は以上説明したように構成されているので、以下に記載されるような効果を奏する。
【００２６】
（１）口紅等を充填した後にでもカートリッヂ体を抜き取り、容易に新しいカートリッヂ体を組み付け直すことができ、不良などによる全部品を廃棄せざるをえないといったことが無く、部品を再利用することができる。
【００２７】
（２）構造が簡単であり、従来の収納容器であっても容易に改造して採用することができ、それによって組立方法も従来と変わらず容器を構成するためのコストが高くなってしまうといったことがない。
【図面の簡単な説明】
【図１】
発明の第１の実施例の断面図である。
【図２】
発明の第１の実施例の皿部材を上昇させた状態の断面図である。
【図３】
発明の第１の実施例の収納部材を抜き取るときの説明図である。
【図４】
発明の第１の実施例の内筒部材の斜視図である。
【図５】
発明の第１の実施例の蓋嵌合部材の巻き締め加工をする状態の説明図である。
【図６】
発明の第２の実施例の蓋嵌合部材のポンチ加工をする状態の説明図である。
【図７】
発明の第３の実施例の断面図である。
【図８】
発明の第３の実施例の皿部材を上昇させた状態の断面図である。
【図９】
発明の第３の実施例の収納部材を抜き取るときの説明図である。
【図１０】
発明の第３の実施例の内筒部材の斜視図である。
【符号の説明】
１，１Ｂ  内筒部材  
２  螺合穴
３，３Ｂ  外筒部材  
４，４Ｂ  皿部材  
５  化粧料
６  軸棒
７  ストッパー
８  上下移動機構
９  係止溝
１０  係合ピン
１１  雄ねじ
１２  雌ねじ
１３  周溝
１４  ロール歯
１５  カット溝
１６, １６Ｂ  ハカマ部材
１７  蓋嵌合部
１８  蓋
１９，１９Ａ，１９Ｂ  収納容器
２０  ポンチ
２１  切り割り溝
２２  ラセン溝
２３，２３Ｂ  蓋嵌合部材
２４，２４Ｂ  カートリッヂ体
２５，２５Ｂ  ハカマ部材本体
２６  係止片
２７  ロール片